(57)【特許請求の範囲】
【請求項１】
引き戸（１）の案内用の案内溝（５）を清掃するブラシ（１１）が、該引き戸（１）の開閉方向の端面に着脱自在に貼着されており、
前記ブラシ（１１）は、弾性や可撓性を有するシート状のベース（１２）と、このベース（１２）の上面の全体にわたって塗布されている接着剤層（１３）と、この接着剤層（１３）の一方側の上面に一端側を接着して装着される毛群（１４）と、この毛群（１４）が接着剤層（１３）の上に接着されている該毛群（１４）の部分を上から接着固定させるための接着剤層（１５）と、この接着剤層（１５）及び接着剤層（１３）の上面に剥離自在に貼合されている剥離シート（１６）とで構成されていることを特徴とする引き戸案内溝の清掃用ブラシ。
【請求項２】
前記ブラシ（１１）は、横方向に長い長尺物に形成されているブラシ本体（２０）から任意の幅で切断されていることを特徴とする請求項１に記載の引き戸案内溝の清掃用ブラシ。
【請求項３】
前記ブラシ（１１）の幅は、貼り着ける引き戸（１）の幅とほぼ同寸法であり、引き戸（１）の両側の端面の下部にそれぞれ着脱自在に貼着していることを特徴とする請求項１または請求項２に記載の引き戸案内溝の清掃用ブラシ。
【請求項４】
弾性や可撓性を有するシート状のベース（１２）と、このベース（１２）の上面の全体にわたって塗布されている接着剤層（１３）と、この接着剤層（１３）の一方側の上面に一端側を接着して装着される毛群（１４）と、この毛群（１４）が接着剤層（１３）の上に接着されている該毛群（１４）の部分を上から接着固定させるための接着剤層（１５）と、この接着剤層（１５）及び接着剤層（１３）の上面に剥離自在に貼合されている剥離シート（１６）とで横方向に長い長尺物のブラシ本体（２０）を構成し、
前記ブラシ本体（２０）は、横方向に任意の幅で複数に切断可能とし、切断された部材であるブラシ（１１）を引き戸（１）の案内溝（５）清掃用としていることを特徴とする引き戸案内溝の清掃用ブラシ。
【発明の詳細な説明】
【技術分野】
【０００１】
本発明は、玄関戸、窓のガラス戸などの引き戸の案内溝を清掃する引き戸案内溝の清掃用ブラシに関するものである。
【背景技術】
【０００２】
玄関戸や、窓や掃き出し窓の案内溝は外気に晒されているために、ホコリ、チリ、砂などが溜まり易く、見た目にも人に不快感を与えたり、また衛生上も良くない。そこで、案内溝を定期的に、あるいは頻繁に清掃を行なう必要がある。また、窓枠がアルミサッシの場合では、レールと溝との凹凸が大きく、そのため、ブラシや歯ブラシを用いて清掃をすることになるが、なかなか綺麗に清掃することができず、清掃に時間もかかってしまう。
また、多くの窓がある場合には、清掃がしにくい案内溝のため、疲れてしまったり、特に、お年寄りの人では重労働となる。
【０００３】
そこで、引き戸側にブラシを取り付けて、引き戸を開け閉めする際に案内溝を清掃するようにしたのが、例えば、下記の特許文献１〜３に開示されている。
【０００４】
【特許文献１】特開昭５８−７０８０号公報
【特許文献２】実開昭６３−１４７７４号公報
【特許文献３】特開平８−１９９９３５号公報
【０００５】
上記特許文献１では、引き戸枠の上部両端の内面側にブラシを取り付けて、引き戸を開閉する際に金属製引き戸サッシのレール内面に上記ブラシを摺接させることで、レール内面に付着している結露水をブラシにて拭き取るようにしている。これにより、引き戸の開閉時における結露水の飛散を防止している。
【０００６】
また、上記特許文献２では、吊り下げ形態の扉の底面に、下面にブラシを装着した歯車を回転自在に設け、扉の案内溝の内側面に前記歯車と噛合するラックギアを設け、扉の開閉動作により歯車を介して回転するブラシにて案内溝を清掃するようにしている。
これにより、案内溝内をことさら清掃作業によって清掃することなく、扉の開閉に伴う往復運動によって常に清掃作用が同時に行なわれ、異物による扉の開閉運動に何らの支障も来さないようにしている。
【０００７】
上記特許文献３においては、吊り下げ式の引き戸の上部に設けられている戸車の近傍にレールの上面に摺接するブラシを設け、引き戸の開閉動作に合わせてブラシがレールの上面を摺接して、レール等に付着した塵埃等の飛散を有効に防止している。
【０００８】
しかしながら、上記特許文献１〜３においては、以下に示すような問題を有している。特許文献１では、引き戸の内面にＬ型の金具を固着し、このＬ型の金具にブラシを装着しているため、一般の人があとからブラシを設けることは難しく、また、このブラシはレールの内面に付着している結露水を拭き取るものであって、ホコリ、チリ、砂などが溜まり易い案内溝を清掃することができないという問題を有している。
【０００９】
また、特許文献２においては、ラックギアや歯車を用いており、また、ラックギアを案内溝の側面に配設する必要があり、後付けが困難で、また構造が複雑となり、コスト高になってしまう。
さらに、特許文献３においても、ブラシ等の後付けが素人では困難であり、構造も複雑となる。
【００１０】
また、上記各特許文献１〜３においては、ブラシが引き戸側に固定されているので、ブラシの取り外しが困難であり、特に清掃を行なうブラシが非常に汚れ易く、汚れたブラシを取り外して洗浄することができず、衛生上悪いという問題もある。
【発明の開示】
【発明が解決しようとする課題】
【００１１】
本発明は上述の問題点に鑑みて提供したものであって、少なくとも以下の目的を持った引き戸案内溝の清掃用ブラシを提供するものである。
（１）労力を必要とすることなく、単に引き戸の開閉にて案内溝を綺麗に清掃できること。
（２）引き戸に後付けが簡単にでき、しかも、着脱自在として清掃時のみブラシを取り付け、不要な場合には簡単に取り外すことができること。
（３）ブラシを着脱自在としてブラシが汚れてきたときには、引き戸からブラシを外して洗浄ができ、常に清潔を保つこと。
（４）引き戸の幅（厚み）よりも大きな案内溝の全体を綺麗に清掃することができること。
（５）案内溝清掃用のブラシを安価に提供できること。
（６）幅（厚み）の異なる引き戸が複数ある場合でも、それぞれの引き戸の幅に合ったブラシが容易に形成できること。
【課題を解決するための手段】
【００１２】
そこで、本発明の請求項１に記載の引き戸案内溝の清掃用ブラシでは、引き戸１の案内用の案内溝５を清掃するブラシ１１が、該引き戸１の開閉方向の端面に着脱自在に貼着されており、
前記ブラシ１１は、弾性や可撓性を有するシート状のベース１２と、このベース１２の上面の全体にわたって塗布されている接着剤層１３と、この接着剤層１３の一方側の上面に一端側を接着して装着される毛群１４と、この毛群１４が接着剤層１３の上に接着されている該毛群１４の部分を上から接着固定させるための接着剤層１５と、この接着剤層１５及び接着剤層１３の上面に剥離自在に貼合されている剥離シート１６とで構成されていることを特徴としている。
【００１３】
【００１４】
請求項２に記載の引き戸案内溝の清掃用ブラシでは、前記ブラシ１１は、横方向に長い長尺物に形成されているブラシ本体２０から任意の幅で切断されていることを特徴としている。
【００１５】
請求項３に記載の引き戸案内溝の清掃用ブラシでは、前記ブラシ１１の幅は、貼り着ける引き戸１の幅とほぼ同寸法であり、引き戸１の両側の端面の下部にそれぞれ着脱自在に貼着していることを特徴としている。
【００１６】
請求項４に記載の引き戸案内溝の清掃用ブラシでは、弾性や可撓性を有するシート状のベース１２と、このベース１２の上面の全体にわたって塗布されている接着剤層１３と、この接着剤層１３の一方側の上面に一端側を接着して装着される毛群１４と、この毛群１４が接着剤層１３の上に接着されている該毛群１４の部分を上から接着固定させるための接着剤層１５と、この接着剤層１５及び接着剤層１３の上面に剥離自在に貼合されている剥離シート１６とで横方向に長い長尺物のブラシ本体２０を構成し、
前記ブラシ本体２０は、横方向に任意の幅で複数に切断可能とし、切断された部材であるブラシ１１を引き戸１の案内溝５清掃用としていることを特徴としている。
【発明の効果】
【００１７】
本発明の請求項１に記載の引き戸案内溝の清掃用ブラシによれば、引き戸１の案内用の案内溝５を清掃するブラシ１１を、該引き戸１の開閉方向の端面に着脱自在に貼着しているので、引き戸１の開閉動作の際にブラシ１１にて綺麗に清掃することができ、特に、単に引き戸１の開閉にて案内溝５を清掃できるので、お年寄りでも労力を必要とすることなく清掃が行なえる。また、ブラシ１１は着脱自在としているので、引き戸１に後付けができ、しかも素人でも簡単に引き戸１の端面に貼り着けることができる。また、清掃時のみブラシ１１を取り付け、不要な場合には簡単に取り外すことができる。
さらに、ブラシ１１を着脱自在としているので、ブラシ１１が汚れてきた時にはブラシ１１を引き戸１から外して洗浄を行なうことができ、ブラシ１１を常に清潔に保つことができる。特に、ブラシ１１を貼着している箇所が引き戸１の端面なので、ブラシ１１の取り外し作業も容易である。
また、前記ブラシ１１は、弾性や可撓性を有するシート状のベース１２と、このベース１２の上面の全体にわたって塗布されている接着剤層１３と、この接着剤層１３の一方側の上面に一端側を接着して装着される毛群１４と、この毛群１４が接着剤層１３の上に接着されている該毛群１４の部分を上から接着固定させるための接着剤層１５と、この接着剤層１５及び接着剤層１３の上面に剥離自在に貼合されている剥離シート１６とで構成されているので、引き戸１側の構造とは関係なく別個に製作でき、しかも、安価にブラシ１１を提供することができる。また、引き戸１が枠の内面に当たっても弾性を有するベース１２にて衝撃を和らげることができて、衝撃音を小さくしたり、引き戸１や枠への歪みなどの影響を少なくすることができる。
【００１８】
【００１９】
請求項２に記載の引き戸案内溝の清掃用ブラシによれば、前記ブラシ１１は、横方向に長い長尺物に形成されているブラシ本体２０から任意の幅で切断可能としているので、引き戸１の幅に合わせた幅のブラシ１１を切断でき、また、幅の異なる引き戸１が複数ある場合でも、それぞれの引き戸１の幅にあったブラシ１１を容易に作ることができる。さらに、ブラシ本体２０から任意の幅に切断してブラシ１１を形成できるので、引き戸１の幅よりも大きい幅のブラシ１１、つまり、案内溝５の幅に対応させた幅のブラシ１１を形成することで、案内溝５全体を綺麗に清掃することができるものである。
【００２０】
請求項３に記載の引き戸案内溝の清掃用ブラシによれば、前記ブラシ１１の幅は、貼り着ける引き戸１の幅とほぼ同寸法であり、引き戸１の両側の端面の下部にそれぞれ着脱自在に貼着しているので、案内溝５全体を綺麗に清掃することができる。また、引き戸１の幅いっぱいにブラシ１１の接着剤層１３、１５を貼り着けることができるので、ブラシ１１を引き戸１に強固に接着固定でき、引き戸１の開閉動作によりブラシ１１が引き戸１から簡単に外れるのを防止することができる。
【００２１】
請求項４に記載の引き戸案内溝の清掃用ブラシによれば、ブラシ本体２０は横方向に長い長尺物としているので、このブラシ本体２０を引き戸１の幅に合わせて切断することで、異なる幅の引き戸１が多数あっても引き戸１の幅に合わせたブラシ１１を多数作ることができる。
【発明を実施するための最良の形態】
【００２２】
以下、本発明の実施の形態を図面を参照して詳細に説明する。図１は玄関戸の場合の引き戸１を示しており、周知のように敷居２の上面には長手方向に沿って２条のレール３が平行に敷設されている。一方、引き戸１の下面には回転自在に戸車４が設けられており、この戸車４がレール３の上を転動することで、左右の引き戸１が引き違い式に開閉される。
玄関における敷居２の材料としては、木製、石製、アルミ製などがあり、材料によってはレール３と溝との凹凸がある場合もあるが、図１では溝は形成されておらず、敷居２の上面を案内溝５と称する。
【００２３】
引き戸１の両側の縦框６の端面下部には偏平なブラシ１１が着脱自在に設けられている。図２はこのブラシ１１の拡大分解断面図を示し、ゴムなどの弾性や可撓性を有するシート状のベース１２と、このベース１２の上面の全体にわたって塗布されている接着剤層１３と、この接着剤層１３の一方側の上面に一端側を接着して装着される毛群１４と、この毛群１４が接着剤層１３の上に接着されている該毛群１４の部分を上から接着固定させるための接着剤層１５と、この接着剤層１５及び接着剤層１３の上面に剥離自在に貼合されている紙製の剥離シート１６とで構成されている。
【００２４】
ブラシ１１の毛群１４はベース１２に対して横方向及び厚み方向に密集して設けられており、また、毛群１４はいわゆる腰のある材料で、且つ弾性復帰力を備えている。材料としては、このような性質を有していれば、どのような材料でも良いが、本実施形態では、例えばナイロン糸  １．５号と呼ばれているものを用いている。
また、図３に示すように、ブラシ１１の厚みとしては、約１．５ｍｍとしており、図１に示すように、引き戸１の側面に貼着して引き戸１を締めても鍵がかかるようにしている。
【００２５】
図４は剥離シート１６を剥離した状態のブラシ１１の斜視図を示しており、毛群１４はベース１２側の接着剤層１３と表面の帯状の接着剤層１５とで強固に接着固定されて、引き戸１を何回も開閉させて敷居２の案内溝５の上面を清掃しても容易に脱落しないようにしている。
【００２６】
なお、図４に示すように、ブラシ１１を構成しているベース１２と毛群１４の縦方向の長さは、例えば、それぞれ７０ｍｍとしているが、この寸法はもちろん任意に設定できるものである。また、ブラシ１１のベース１２及び毛群１４は家庭にあるハサミやカッターなどで切断可能なので、毛群１４を任意の長さに切断して使用できるようになっている。また、ブラシ１１の幅寸法は、図１の場合では玄関戸としての引き戸１の幅寸法に合わせている。
【００２７】
ところで、本発明のブラシ１１は、玄関戸、窓、掃き出し窓、ふすまなどの引き戸１の幅寸法に合わせられるようにしたり、また、複数箇所の引き戸１に装着可能なように元々横方向に長い長尺物の製品として製造・販売するように作られている。
図５は、図４に示すようなブラシ１１の切断前のブラシ本体２０を示し、図５（ａ）はブラシ本体２０の正面図を示し、図５（ｂ）はブラシ本体２０の背面図を、図５（ｃ）はブラシ本体２０の側面図をそれぞれ示している。
【００２８】
この偏平なブラシ本体２０の構成は、図２に示すのと同じであり、任意の幅のブラシ１１を作ることができるように切断可能であり、また、剥離シート１６の表面にはハサミで切断する際に、真っ直ぐ切り易いように縦方向にライン１７が記されている。
例えば、図１に示す引き戸１の幅寸法がＡであれば、ブラシ本体２０の端から寸法Ａの部分でハサミやカッターなどで図中の破線に示すようにライン１７に沿って切断することで、引き戸１に貼着するブラシ１１を容易に作ることができる。このようにして、各引き戸１の幅に合わせて任意の幅のブラシ１１を容易に多数作ることができる。
【００２９】
図１において、ブラシ１１の毛群１４が敷居２の案内溝５に上面に接触するように引き戸１の縦框６の端面下部に剥離シート１６を剥離して装着する。この時、ブラシ１１の接着剤層１３、１５にて縦框６の端面に強固に接着固定される。そして、ブラシ１１の表面側は弾性を有するベース１２が位置している。
引き戸１の開閉を行なう度に、ブラシ１１の毛群１４が案内溝５の上面を綺麗に清掃することができ、特に、凹凸がある案内溝５の場合でも、何ら労力を伴うことなくレール３の上面をも含めた案内溝５を綺麗に清掃することができるものである。
【００３０】
また、ブラシ１１のベース１２は弾性を有しているので、引き戸１が玄関枠の内面に当たっても、衝撃音を和らげると共に、ベース１２にて衝撃を吸収して引き戸１側や玄関枠側への歪みなどの影響を少なくすることができる。
このように引き戸１を開閉する度に、敷居２の案内溝５を綺麗に清掃できるので、ブラシ１１を常時貼着しておいても良いが、案内溝５が綺麗になってブラシ１１を貼着しておく必要が無くなった場合には、ブラシ１１を引き戸１から取り外すことができる。そして、敷居２の案内溝５が汚れてきた場合に、再度ブラシ１１を引き戸１に貼着して、案内溝５を清掃するようにしても良い。
【００３１】
このように本実施形態では、引き戸１の縦框６の端面にブラシ１１を着脱自在に装着することで、お年寄りでも労力を必要とすることなく、単に引き戸１の開閉にてレール３の上面をも含めた案内溝５を綺麗に清掃することができる。また、ブラシ１１は引き戸１に簡単に後付けができ、しかも、ブラシ１１は接着剤層１３、１５により着脱自在として清掃時のみブラシを取り付け、不要な場合には簡単に取り外すこともできる。
【００３２】
また、ブラシ１１の幅は、貼り着ける引き戸１の幅とほぼ同寸法とし、引き戸１の両側の端面の下部にそれぞれ着脱自在に貼着しているので、引き戸１の幅いっぱいにブラシ１１の接着剤層１３、１５を貼り着けることができ、そのため、ブラシ１１を引き戸１に強固に接着固定でき、引き戸１の開閉動作によりブラシ１１が引き戸１から簡単に外れるのを防止することができる。
なお、ブラシ１１の幅は、貼り着ける引き戸１の幅より狭くても良いが、その分、毛群１４の幅も狭くなり、案内溝５の清掃ができる幅も短くなるので、ブラシ１１の幅は、貼り着ける引き戸１の幅とほぼ同寸法とするのが好ましい。
【００３３】
さらに、ブラシ１１を着脱自在としているので、ブラシ１１の毛群１４が汚れてきた時にはブラシ１１を引き戸１から外して洗浄を行なうことができ、ブラシ１１を常に清潔に保つことができる。特に、ブラシ１１を貼着している箇所が引き戸１の端面なので、ブラシ１１の取り外し作業も容易である。
【００３４】
また、ブラシ１１は、ベース１２、接着剤層１３、毛群１４、接着剤層１５及び剥離シート１６で構成しているので、引き戸１側の構造に関係なく別個に製作でき、しかも、安価にブラシ１１（ブラシ本体２０）を提供することができる。また、ブラシ本体２０から引き戸１の幅の寸法に合わせて切断可能なため、複数種類の引き戸１があり、それぞれ幅が異なる場合でも、１枚のブラシ本体２０からそれぞれの引き戸１の幅に合ったブラシ１１を形成することができる。
【００３５】
図６及び図７は、玄関戸がアルミサッシの場合を示しており、図６（ａ）ではブラシ１１の図示は省略しているが、図６（ｂ）及び図７に示すように、先の実施形態と同様にブラシ１１を引き戸１の縦框６の端面下部に着脱自在に貼着している。
【００３６】
図８及び図９は、窓の場合を示しており、図８（ａ）に示すように、この場合は、敷居２のレール３の位置が内側では高い位置にしている場合を示している。また、窓用の引き戸１の縦框６の端面下部には上記と同様にブラシ１１を着脱自在に貼着している。
【００３７】
図６〜図９においても、ブラシ１１による案内溝５の清掃の効果は先の実施形態と同様である。また、図示はしていないが、開口部が大きい掃き出し窓の場合でも先の実施形態と同様に引き戸の端面下部にブラシ１１を着脱自在に貼着し、該ブラシ１１により掃き出し窓の案内溝を綺麗に清掃することができる。
また、枠がアルミサッシで、レールや溝の凹凸が大きい場合でも、本発明のブラシ１１により綺麗に清掃することができる。
【００３８】
ところで、先の説明では図１０に示すように、引き戸１の幅に合わせてブラシ１１の幅を切断して貼着していたが、かかる場合では、ブラシ１１の毛群１４がほぼ真っ直ぐに伸びているために、案内溝５は毛群１４の幅の部分だけが綺麗に清掃することができる。しかし、ブラシ１１の毛群１４が接触しない案内溝５の他の部分では、綺麗に清掃することができない。
そこで、図１１に示すように、引き戸１の幅よりも広くブラシ１１を切断し、つまり、左右の引き戸１、１に貼り着けるブラシ１１の幅の合計寸法を案内溝５の幅方向の寸法に合わせることで、案内溝５の上面の全面にわたって綺麗に清掃することができる。
【００３９】
なお、左右の引き戸１、１をすれ違いさせても、両ブラシ１１、１１が接触しない程度に近接させることで、両ブラシ１１、１１の接触を防止することができる。また、仮に両ブラシ１１、１１の端部同士がすれ違いの時に接触しても、ブラシ１１自体は弾性を有しているので、特に支障は無い。
【００４０】
また、先の各実施形態においては、ブラシ１１を着脱自在に貼着する箇所は、引き戸１の下部とし、敷居２の案内溝５の清掃の場合について説明したが、引き戸１の上部にブラシ１１を着脱自在に貼着し、鴨居の下面の案内溝を清掃するようにしても良い。
また、ブラシ１１は引き戸１の両側に貼着していたが、引き戸１の片方の場合でも良いが、敷居２や鴨居の案内溝の全体にわたって清掃することを考えれば、ブラシ１１を引き戸１の両側に貼着する方が好適例である。
【００４１】
また、ブラシ１１のベース１２を先の実施形態では、ゴム製で形成していたが、該ベース１２を市販のガムテープなどに用いられている布や紙などで形成しても良い。かかる場合には、引き戸１の端面だけでなく、ベース１２を略コ字型にして引き戸１の外側と内側の面にまで貼着させるようにしても良い。
【００４２】
上記ブラシ１１は、引き戸式のふすまにも着脱自在に装着するようにしても良い。特に、ブラシ１１はブラシ本体２０から任意の幅で切断可能としているので、厚みの薄いふすまの場合にも使用できるものである。
【図面の簡単な説明】
【００４３】
【図１】（ａ）（ｂ）は本発明の実施の形態における引き戸の要部断面図、要部正面図である。
【図２】本発明の実施の形態におけるブラシの拡大分解断面図である。
【図３】本発明の実施の形態におけるブラシの側面図である。
【図４】本発明の実施の形態における剥離シートを剥離した状態のブラシの斜視図である。
【図５】（ａ）〜（ｃ）は本発明の実施の形態におけるブラシ本体の正面図、背面図及び側面図である。
【図６】（ａ）（ｂ）は本発明の実施の形態における玄関枠をアルミサッシとした場合の引き戸の要部断面図、要部正面図である。
【図７】本発明の実施の形態におけるブラシを貼着した状態を示す要部斜視図である。
【図８】（ａ）（ｂ）は本発明の実施の形態における窓枠をアルミサッシとした場合の引き戸の要部断面図、要部正面図である。
【図９】本発明の実施の形態におけるブラシを貼着した状態を示す要部斜視図である。
【図１０】本発明の実施の形態における引き戸の幅とブラシの幅とを合わせた場合の説明図である。
【図１１】本発明の実施の形態における引き戸の幅よりもブラシの幅を大きくした場合の説明図である。
【符号の説明】
【００４４】
１  引き戸
５  案内溝
１１  ブラシ
１２  ベース
１３  接着剤層
１４  毛群
１５  接着剤層
１６  剥離シート
２０  ブラシ本体
【要約】
【課題】  労力を必要とすることなく単に引き戸の開閉にて案内溝を綺麗に清掃できること。また、引き戸に後付けが簡単にでき、しかも、着脱自在として清掃時のみブラシを取り付け、不要な場合には簡単に取り外すことができること。
【解決手段】  下部に毛群１４を有するブラシ１１を引き戸１の両側の端面下部に着脱自在に貼着する。ブラシ１１の幅は引き戸１の幅に合わせている。引き戸１を開閉する際に、ブラシ１１の毛群１４が敷居２の案内溝５の上面を綺麗に清掃する。したがって、労力を必要とすることなく単に引き戸１の開閉にて案内溝を綺麗に清掃できる。また、引き戸１にブラシ１１の後付けが簡単にでき、しかも、着脱自在として清掃時のみブラシ１１を取り付け、不要な場合には簡単に取り外すことができる。
【選択図】        図１
【図１】
0003729499.tif 000002
【図２】
0003729499.tif 000003
【図３】
0003729499.tif 000004
【図４】
0003729499.tif 000005
【図５】
0003729499.tif 000006
【図６】
0003729499.tif 000007
【図７】
0003729499.tif 000008
【図８】
0003729499.tif 000009
【図９】
0003729499.tif 000010
【図１０】
0003729499.tif 000011
【図１１】
0003729499.tif 000012